(57)【特許請求の範囲】
【請求項１】
条件を設定可能な条件キーを配置した複数の設定画面と、
上記複数の設定画面のうちの１つを入力可能な状態に表示する切換手段と、
上記条件キーによる条件の入力に対応して条件を表示する条件アイコンと、
上記複数の設定画面と上記条件アイコンとを表示する表示手段とを備えた入力表示装置において、
上記条件アイコンは、上記切換手段で切り換わる上記複数の設定画面の条件キーにより入力される複数の条件を統合的に表示すると共に、上記条件キーによる条件の入力に対応した条件アイコンがドラッグされたときに仕上がりアイコン上に上記条件アイコンを移動可能とし、上記仕上がりアイコン上に上記条件アイコンを統合的に表示することを特徴とする入力表示装置。
【請求項２】
上記条件アイコンに対応した設定量があるものは、ドラッグによる条件アイコンの仕上がりアイコンに対する移動方向に対応してその設定量を可変可能に設定できることを特徴とする請求項１に記載の入力表示装置。
【請求項３】
仕上がりアイコン上に先に選択された条件アイコンに応じて、後から選択した条件アイコンの最適位置を、仕上がりアイコンに表示することを特徴とする請求項１に記載の入力表示装置。
【請求項４】
条件キーが操作されると、下位条件の選択エリアが開き、下位条件の選択に対応した条件アイコンが、下位条件が適用可能な仕上がりアイコン上の位置に表示されることを特徴とする請求項１に記載の入力表示装置。
【請求項５】
複数の適用可能位置のある下位条件選択アイコンは、条件アイコンの位置切り換えキーにより、仕上がりアイコンに対する位置を切り換えて表示することを特徴とする請求項４に記載の入力表示装置。
【請求項６】
後から選択された条件アイコンの仕上がりアイコンに対する最初の表示位置が、仕上がりアイコン上に先に選択された条件アイコンに応じた最適位置に表示されることを特徴とする請求項４に記載の入力表示装置。
【請求項７】
条件を設定可能な条件キーを配置した複数の設定画面と、
上記複数の設定画面のうちの１つを入力可能な状態に表示する切換手段と、
上記条件キーによる条件の入力に対応して条件を表示する条件アイコンと、
上記複数の設定画面と上記アイコンとを表示する表示手段とを備えた入力表示装置における入力表示方法において、
上記アイコンを、上記切換手段で切り換わる上記複数の設定画面の条件キーにより入力される複数の条件を統合的に表示すると共に、上記条件キーによる条件の入力に対応した条件アイコンがドラッグされたときに仕上がりアイコン上に上記条件アイコンを移動可能とし、上記仕上がりアイコン上に上記条件アイコンを統合的に表示することを特徴とする入力表示方法。
【請求項８】
条件を設定可能な条件キーを配置した複数の設定画面と、
上記複数の設定画面のうちの１つを入力可能な状態に表示する切換手段と、
上記条件キーによる条件の入力に対応して条件を表示する条件アイコンと、
上記複数の設定画面と上記条件アイコンを表示する表示手段とを備えた入力表示装置において、
上記条件アイコンは、上記切換手段で切り換わる上記複数の設定画面の条件キーにより入力される複数の条件を統合的に表示すると共に、上記条件キーによる条件の入力に対応した条件アイコンがドラッグされたときに仕上がりアイコン上に上記条件アイコンを移動可能とし、上記仕上がりアイコン上に上記条件アイコンを統合的に表示するとともに、上記条件アイコンがドラッグされた位置により設定を行うことを特徴とする入力表示装置。
【発明の詳細な説明】
【０００１】
【発明の属する技術分野】
本発明は、複写機、ファクシミリ、プリンタ等の画像形成装置（印字機器）において各種の処理機能を設定する入力表示装置および入力表示方法に関する。
【０００２】
【従来の技術】
複写機やファクシミリ、プリンタ等の印字装置すなわち画像形成装置の各種の機能を設定するための入力装置として、タッチ対話式のユーザ・インタフェースが提案されている。たとえば、特開平１−２６１６６７号公報では、複写機にタッチ検出画面を設け、条件を選択するための設定画面を切り換えて個々に表示するようにし、ある設定画面のなかで、アイコンをキーにして設定するキーが感覚的に把握できるようにして、キーの選択を容易にしている。しかしながら、この手法は、設定画面の切り換えにより他の条件を設定可能にしており、アイコンをキーにしているだけで、設定された条件をアイコンに統合的に表示するものでないので、使用者が設定した条件を確認するには、非常に手間取るという問題がある。
【０００３】
また、特開平５−１００６４６号公報には、複写機、ファクシミリ、プリンタなどにおける機能の設定状態を操作パネルに備えたディスプレイに表示して利用者に確認させるようにしたフィードバック画面表示装置が開示されている。この方式では、複数の条件を同一のアイコンに表示して、設定の確認を容易にしたり、誤設定の防止をしている。しかしながら、この手法においても、条件の設定をする設定画面とアイコンとの関係は記載されていない。
【０００４】
上記、特開平１−２６１６６７号公報と特開平５−１００６４６号公報にそれぞれ記載された技術を組み合わせても、１つの設定画面内で設定画面内にある複数の条件を統合的に表示するものでしかないので、切り換え可能な複数の設定画面とアイコンを用いて、表示画面を小型にすると共に、設定の確認を容易にしたり、誤設定の防止をすることができない。
【０００５】
【発明が解決しようとする課題】
本発明は、より小型の表示画面を使用して、入力した条件をアイコンに統合的に絵表示する場合に、条件入力キーとアイコン上の絵表示との対応をわかり易くし、設定条件の確認を容易にしたり、誤設定を防止することのできる表示装置および入力表示方法を提供することを目的とする。
【０００６】
【課題を解決するための手段】
上記課題を解決するために、本発明は、条件を設定可能な条件キーを配置した複数の設定画面（条件設定画面）と、上記複数の設定画面のうちの１つを入力可能な状態に表示する切換手段（設定画面の条件キー）と、上記条件キーによる条件の入力に対応して条件を表示するアイコンと、上記複数の設定画面と上記アイコンとを表示する表示手段（液晶ディスプレイ等）とを備えた入力表示装置において、上記アイコンは、上記切換手段で切り換わる上記複数の瀬定画面の条件キーにより入力される複数の条件を統合的に表示すると共に、上記条件キーによる条件の入力に対応した条件アイコンは、ドラッグして統合的に表示された仕上がりアイコン上に、移動可能した。
【０００７】
すなわち、本発明は、複数の設定画面と条件を表わすアイコンとを表示する表示手段を備えた入力表示装置において、上記設定画面を、条件を設定可能な条件キーを配置した設定画面とするとともに、この条件キーが少なくとも複数の設定画面のうちの１つを入力可能な状態に表示する設定画面切換機能を有しており、上記条件キーによる条件の入力に対応して条件を表示するアイコンが表示され、上記アイコンは、上記条件キーによる条件の入力に対応した条件アイコンと、仕上がり形態を表す仕上がりアイコンとからなり、上記設定画面切換機能で切り換わる上記複数の設定画面の条件キーにより入力される複数の条件を統合的に表示するとともに、上記条件アイコンは、ドラッグして統合的に表示された仕上がりアイコン上に移動可能とした。
【０００８】
さらに、本発明は、上記入力表示装置において、条件アイコンに対応した設定量があるものは、条件アイコンの仕上がりアイコンに対する移動方向に対応してその設定量を可変可能とした。
【０００９】
また、本発明は、上記入力表示装置において、仕上がりアイコン上に先に選択された条件アイコンに応じて、後から選択した条件アイコンの最適位置を、仕上がりアイコンに表示するようにした。
【００１０】
本発明は、上記入力表示装置において、条件キーを操作すると、下位条件の選択エリアが開き、下位条件の選択に対応した条件アイコンが、仕上がりアイコン上の下位条件が適用可能な位置に表示されるようにした。
【００１１】
本発明は、上記入力表示装置において、複数の適用可能位置のある下位条件選択アイコンは、条件アイコンの位置切り換えキーにより、仕上がりアイコンに対する位置を切り換えて表示するようにした。
【００１２】
本発明は、上記入力表示装置において、後から選択した条件アイコンの仕上がりアイコンに対する最初の表示位置が、仕上がりアイコン上に先に選択された条件アイコンに応じた最適位置に表示されるようにした。
【００１３】
本発明は、条件を設定可能な条件キーを配置した複数の設定画面と、上記複数の設定画面のうちの１つを入力可能な状態に表示する切換手段と、上記条件キーによる条件の入力に対応して条件を表示する条件アイコンと、上記複数の設定画面と上記アイコンとを表示する表示手段とを備えた入力表示装置における入力表示方法において、上記アイコンを、上記切換手段で切り換わる上記複数の設定画面の条件キーにより入力される複数の条件を統合的に表示すると共に、上記条件キーによる条件の入力に対応した条件アイコンを、ドラッグして統合的に表示された仕上がりアイコン上に、移動可能に表示するようにした。
【００１４】
【発明の実施の形態】
（装置の概要説明）以下、図面を用いて、本発明にかかる入力表示装置の構成の概要を説明する。まず本発明の入力表示装置を備えた画像形成装置であるディジタル複写機の構成の概要を図１を用いて説明する。
【００１５】
図１に示すように、この実施の形態にかかる画像形成装置であるデジタル複写機３０は、本体が、大きく分けてスキャナ部３１と、レーザ記録部３２から構成されている。
【００１６】
スキャナ部３１は、透明ガラスからなる原稿載置台３５と、原稿載置台３５上へ自動的に原稿を供給搬送するための両面対応自動原稿送装置（ＲＡＤＦ）３６と、原稿載置台３５上に載置された原稿の画像を走査して読み取るための原稿画像読取ユニット、すなわちスキャナユニット４０から構成されている。
【００１７】
このスキャナ部３１にて読み取られた原稿画像は、画像データとして後述する画像データ入力部へと送られ、画像データに対して所定の画像処理が施される。
【００１８】
上記ＲＡＤＦ３６は、ＲＡＤＦ３６に備えられた図示しない原稿トレイ上に一度にセットされた複数枚の原稿を、１枚ずつ自動的にスキャナユニット４０の原稿載置台３５上へ給送する装置である。またＲＡＤＦ３６は、オペレーターの選択に応じて原稿の片面または両面をスキャナユニットに読み取らせるように、片面原稿のための搬送経路、両面原稿のための搬送経路、搬送経路切換手段、各部を通過する原稿の状態を把握し管理するセンサー群、および制御部などから構成されている。このＲＡＤＦ３６については、従来から多くの出願、商品化がなされているので、これ以上の説明は省略する。
【００１９】
原稿載置台３５上に載置された原稿の画像を読み取るためのスキャナ部３１を構成するスキャナユニット４０は、原稿面上を露光するランプリフレクターアセンブリ４１と原稿からの反射光像を光電変換素子（ＣＣＤ）に導くための原稿からの反射光を反射する第１の反射ミラー４２ａを搭載してなる第１の走査ユニット４０ａ、また第１の反射ミラー４２ａからの反射光像を光電変換素子（ＣＣＤ）に導くための第２反射ミラー４２ｂと第３反射ミラー４２ｃを搭載してなる第２の走査ユニット４０ｂ、原稿からの反射光像を上述した各反射ミラーを介して電気的画像信号に変換する素子（ＣＣＤ）上に結像させるための光学レンズ４３、および原稿からの反射光像を電気的画像信号に変換する上述したＣＣＤ素子４４から構成される。
【００２０】
スキャナ部３１は、上記ＲＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００２１】
特に第１走査ユニット４０ａは、原稿載置台に沿って左から右へと一定速度Ｖで走行され、また第２走査ユニット４０ｂは、その速度Ｖに対してＶ／２の速度で同一方向に平行に走査制御される。
【００２２】
これにより、原稿載置台３５上に載置された原稿の画像を１ライン毎に順次ＣＣＤ素子４４へと結像させて画像を読み取ることとなる。
【００２３】
原稿画像をスキャナユニット４０にて読み取ることにより得られた画像データは、後述する画像処理部へ送られ、各種処理が施された後、画像処理部のメモリに一旦記憶され、出力指示に応じてメモリ内の画像を読み出してレーザープリンター部３２に転送して記録シート上に画像を形成させる。
【００２４】
このレーザープリンター部３２は、画像を形成させるための記録材であるシートの搬送系、レーザ書込ユニット４６、および画像を形成するための電子写真プロセス部４８を備えている。
【００２５】
レーザ書込ユニット４６は、上述したスキャナユニット４０にて読み取った後のメモリから読み出した画像データ、または外部の装置から転送されてきた画像データに応じてレーザ光を出射する半導体レーザ光源、レーザ光を等角速度偏向するポリゴンミラー、等角速度で偏向されたレーザ光が電子写真プロセス部４８を構成する感光体ドラム上で等角速度で偏向されるように補正するｆ−βレンズなどを有している。
【００２６】
上記電子写真プロセス部４８は、周知である感光体ドラムの周囲に帯電器、現像器、転写器、剥離器、クリーニング器、除電器を備えている。
【００２７】
一方、シートの搬送系は、上述した画像形成を行う電子写真プロセス部の特に転写器が配置された転写位置へとシートＰを搬送する搬送部３３、該搬送部３３へとシートＰを送り込むためのカセット給紙装置５１、５２、５３、または、必要なサイズのシートを適宜給紙するための手差給紙装置５４、転写後のシートＰに形成された画像、特にトナー像を定着するための定着器４９、定着後のシートＰの裏面に再度画像を形成するためにシートＰを再供給するための再供給経路５５とを備えている。
【００２８】
また、定着器４９の下流側には、画像が記録されたシートＰを受け取り、このシートＰに対して所定の処理を施す後処理装置３４が配置されている。
【００２９】
レーザ書込ユニット４６及び電子写真プロセス部４８において、画像メモリから読み出された画像データは、レーザ書込ユニット４６によってレーザ光線を走査させることにより感光体ドラム４８の表面上に静電潜像として形成される。該静電潜像は、トナーにより可視像化されたトナー像とされる。トナー像は、多段給紙ユニットのいずれかの給紙部から搬送された用紙の面上に静電転写され、定着器４９で定着される。
【００３０】
このようにして画像が形成された用紙は、定着器４９から排紙ローラ５７を経由して後処理装置３４内へと搬送される。
【００３１】
図２は、図１のデジタル複写機３０を構成している各種ユニット部、画像処理部などの全体ブロック構成図であり、略中央に位置するメイン中央演算処理装置４０１（ＣＰＵ）により各ユニット部毎に搭載されたサブ中央演算処理装置（ＣＰＵ）との連携を取りながら動作管理している状態を示す図である。
【００３２】
このブロック図から分かるように、大きくは図面略右上に位置する操作パネルを管理制御するオペレーションパネルボード１００と、図面略左上に位置するデジタル複写機３０を構成する各ユニットを管理制御するマシンコントロールボード２００と、図面略左下に位置する原稿画像を電気的に読み取り電子データとするＣＣＤボード３００と、図面略中央に位置する前記ＣＣＤボード３００にて電子データ化された原稿画像に対して所定の画像処理を施すメイン画像処理ボード４００と、このメイン画像処理ボード４００にて処理された画像情報に対してさらに所定の画像処理を施すサブ画像処理ボード５００と、さらに、図面略右下に位置する前記サブ画像処理ボード５００にインターフェイスを介して接続されたその他の拡張ボード群６００（プリンターボード、機能拡張ボード）などから構成されている。
【００３３】
以下、各ボード毎に管理制御している内容について説明する。
【００３４】
（オペレーションパネルボード）オペレーションパネルボード１００は、基本的にサブの中央演算処理装置（ＣＰＵ）１０１により制御されており、操作パネル１０３上に配置されたＬＣＤ表示部１０４の表示画面、各種モードに関する指示を入力する操作キー群１０５からの操作入力などを管理している。
【００３５】
そして操作キー群１０５から入力されたデータ、ＬＣＤ画面に表示させる情報など操作パネルにおける各種制御情報を記憶しておくメモリ１０２が設けられている。
【００３６】
この構成において、サブの中央演算処理装置（ＣＰＵ）１０１は、メインの中央演算処理装置（ＣＰＵ）４０１との制御データ通信を行い、デジタル複写機３０の動作指示を行う。
【００３７】
また、メインの中央演算処理装置４０１からは、デジタル複写機３０の動作状態を示す制御信号をサブの中央演算処理装置（ＣＰＵ）１０１へと転送することや、操作パネル１０３のＬＣＤ画面１０４を通して装置が現在どのような状態にあるのかなどの動作状態を操作者に表示するようになっている。
【００３８】
（マシンコントロールボード）マシンコントロールボード２００は、サブの中央演算処理装置２０１により全体が制御されており、ＡＤＦ・ＲＡＤＦなどの自動原稿送装置２０３、原稿画像を読み取る読取スキャナ部２０４、画像情報を画像として再現するプロセス部２０５、画像が記録される用紙を収納部からプロセス部へ向かって順次搬送する給紙搬送部２０６、画像が記録された用紙を反転させて用紙の両面に画像が形成されるように用紙を反転搬送する両面ユニット２０７、画像が記録された用紙に対してステープルなどの後処理を行うフイニツシヤ２０８などを管理している。
【００３９】
（ＣＣＤボード）ＣＣＤボード３００は、原稿画像を電気的に読み取るためのＣＣＤ３０１、ＣＣＤ３０１を駆動する回路（ＣＣＤゲートアレイ）３０２、ＣＣＤ３０１から出力されるアナログデータのゲイン調整などを行うアナログ回路３０３、ＣＣＤ３０１のアナログ出力をデジタル信号に変換して電子データとして出力するＡ／Ｄ変換器３０４などから構成され、制御管理はメインの中央演算処理装置４０１により行われている。
【００４０】
（メイン画像処理ボード）メイン画像処理ボード４００は、メインの中央演算処理装置４０１により制御され、前記ＣＣＤボード３００から送られてきた原稿画像の電子データをもとに、画像の階調性を所望の状態で表現できるように、シェーデイング補正、濃度補正、領域分離、フィルタ処理、ＭＴＦ補正、解像度変換、電子ズーム（変倍処理）、ガンマ補正など多値の画像データの状態のまま処理を施す多値画像処理部４０２、処理が施された画像データあるいは処理の手順管理など各種制御情報を記憶させておくメモリ４０３、処理が施された画像情報でもって画像を再現するためにレーザ書込ユニット４６側へとデータを転送制御するレーザコントロール４０４などから構成される。
【００４１】
（サブ画像処理ボード）サブ画像処理ボード５００は、メイン画像処理ボード４００とコネクタ接続され、メイン画像処理ボード４００上のメインの中央演算処理装置４０１により制御された、２値画像処理部５０１、画像処理の施された２値画像情報、あるいは処理上での制御情報などを記憶管理するメモリおよびメモリを制御するゲートアレイ５０２、複数枚の原稿画像情報を記憶管理しておき、複数枚の原稿画像を繰り返し所望部数の数だけ読み出して複数の複写物を生成するためのハードディスク（ＨＤ）メモリ５０３ａおよびハードディスクを制御するゲートアレイ５０３、外部インターフェイスとしてのＳＣＳＩおよびＳＣＳＩを制御するゲートアレイ５０４などから構成される。
【００４２】
また、前述の２値画像処理部５０１は、多値画像情報を２値画像に変換する処理部、画像を回転する処理部、２値画像の変倍処理を行う２値変倍（ズーム）処理部、２値画像を圧縮伸張する圧縮伸張部などから構成され、さらに、ファックス画像を通信手段を介して送受信することが出来るようにファックスインターフェイスも備えている。
【００４３】
（拡張ボード）拡張ボード６００としては、パーソナルコンピュータなどから送られてくるデータをデジタル複写機のプリンタ部からプリンタモードとして出力可能とするためのプリンタボード６０１、デジタル複写機の編集機能を拡張してデジタル複写機の特徴を有効活用するための機能拡張ボード６０２などがある。
【００４４】
以下、デジタル複写機の画像処理装置として、コピー、プリンタモードとしての画像データの処理、画像データの流れについてさらにくわしく説明する。
【００４５】
（コピーモード）デジタル複写機３０のＲＡＤＦ３６の所定位置にセットされた原稿は、１枚ずつスキャナユニット４０の原稿載置台３５上へと順次供給される。原稿の画像は、先に説明したスキャナユニット４０の構成により順次読み取られ、８ビットの電子データとしてメイン画像処理ボード４００へと転送される。
【００４６】
メイン画像処理ボード４００に転送された８ビットの電子データは、８ビットの電子画像データとして多値画像処理部４０２上で所定の処理が施される。
【００４７】
そして、８ビットの電子画像データにガンマ補正などの処理を行いレーザコントロール部４０４を介してレーザ書込ユニット４６へと送られる。
【００４８】
これにより、デジタル複写機３０のスキャナ部３１にて読み取られた原稿画像は、レーザ記録部３２から階調性のあるコピー画像として出力される。
【００４９】
（コピーモードにおける電子ＲＤＨ機能）同じくデジタル複写機３０のＲＡＤＦ３６の所定位置にセットされた原稿は、１枚ずつスキャナユニット４０の原稿載置台３５上へと順次供給される。原稿の画像は、先に説明したスキャナユニット４０の構成により順次読み取られ、８ビットの電子データとしてメイン画像処理ボード４００へと転送される
【００５０】
メイン画像処理ボード４００に転送された８ビットの電子データは、８ビットの電子画像データとして多値画像処理部４０２上で所定の処理が施される。
【００５１】
そして、この８ビットの電子画像データは、次にメイン画像処理ボード４００側のコネクタ４０５からサブ画像処理ボード５００側のコネクタ５０５を介してサブ画像処理ボード５００側に送られ、２値画像処理部５０１の多値２値変換部において誤差拡散などの処理と共に８ビットの電子画像データから２ビットの電子画像データに変換される。
【００５２】
なお、８ビットの電子画像データを誤差拡散などの処理を含めて２ビットの電子画像データに変換しているのは、ただ多値２値変換を行っただけでは画質的に問題があるので、画質の劣化が少なくなるように配慮している。
【００５３】
また、８ビットの電子画像データを２ビットの電子画像データに変換するのは、画像の記憶容量などを考慮したためである。
【００５４】
このようにして変換された２ビットの電子画像データは、原稿１枚毎にハードディスクなどのディスクメモリ５０３ａへと転送されて一時的に記憶管理される。
【００５５】
デジタル複写機３０のＲＡＤＦ３６にセットされた原稿群の全てが読み取り処理されると、先程一時的にハードディスク５０３ａに記憶された２ビットの電子画像データをゲートアレイの制御により指定された部数の数だけ繰り返し読み出して、読み出された２ビットの電子画像データは、再度コネクタ接続部４０５、５０５を介してメイン画像処理ボード４００へ送られ、ガンマ補正などの処理を行いレーザコントロール部４０４を介してレーザ書込ユニット４６へと送られる。
【００５６】
なお、全ての原稿群画像が読み取られてから画像群を所望する部数の数だけ繰り返し読み出すようにして説明したが、１部目の画像出力は所定分の画像が準備出来た段階で順次出力するように構成することも可能である。
【００５７】
これにより、デジタル複写機３０のスキャナ部３１にて読み取られた原稿画像は、レーザ記録部３２から階調性のあるコピー画像として出力される。
【００５８】
（プリンタモード）パーソナルコンピュータなどのネットワーク接続された外部機器から送られてきた画像は、プリンターボード６０１上でページ単位の画像としてボード６０１上で展開された後、インターフェイスであるＳＣＳＩ５０４から一旦サブ画像処理ボード５００側へ転送されハードディスク５０３ａなどのメモリへと記憶される。
【００５９】
なお、プリンターボード６０１上でページ画像として展開された画像は、サブ画像処理ボード５００側に送られるが、ページ画像に２値画像処理は行わず、ハードディスク５０３に一時記憶されるだけである。
【００６０】
また、一旦記憶されたページ画像がハードディスク５０３ａから読み出される時も、ページ画像に対する２値画像処理は行わない。
【００６１】
そしてハードディスク５０３ａへ一時記憶された画像情報は、所定のページ順となるようにハードディスク５０３ａから読み出されながらメイン画像処理ボード４００へと送られてガンマ補正を行い、レーザコントロール４０４からＬＳＵ４６にて画像を再現するよう画像の書き込みが制御される。
【００６２】
（操作パネルの説明）図３は、デジタル複写機３０における操作パネル１０３を表したものである。この操作パネル１０３の中央部分には、タッチパネル液晶表示装置６が配置されていて、その周囲にテンキー（枚数設定キー）１６、クリアキー１７、スタートキー１８、全解除キー１９、割込キー２０及びコピー／プリンタ切換キー２６が配置されている。
【００６３】
このタッチパネル液晶表示装置６の画面上には、画像編集機の選択や印字時の条件の設定等に際して、種々の条件を設定するための設定画面に切り換える画面切換指示エリアがあって、このエリアを指で直接押圧操作すると各種画像編集機能が選択できるように液晶画面上に各種編集機能が一覧表示される。
【００６４】
その表示された各種編集機能の中から、操作者が所望する機能が表示されている領域を指で触れることにより編集機能が設定される。
【００６５】
上記操作パネル上に配置された各種設定キー群について簡単に説明する。枚数設定キー１６は、複写枚数の設定するためのキーであり、テンキーで構成される。クリアキー１７は、複写枚数をクリアしたり、連続コピーを途中で止める時に操作するキーである。スタートキー１８は、コピーの開始を指示するためのキーである。全解除キー１９は、現在設定されているモードの全てを解除して標準状態に復帰させるためのキーである。割込キー２０は、連続コピー中に別の原稿に対するコピーを行いたい時に操作するキーである。コピー／プリンターモード切換キー２６は、デジタル複写機のモードをコピーとプリンタの間で切り換えるためのキーである。
【００６６】
今回提示した操作パネル及びその操作パネル上に配置される各種キーは、あくまでも１実施例であり、デジタル複写機に搭載される各種機能により操作パネル上に設けられるキーは異なってくることはいうまでもない。
【００６７】
（表示画面に関する説明）次いで、上記構成の画像形成装置における処理をコピーモード時の動作を例にとって、表示画面の形態を説明する。
【００６８】
図４に示すように、表示部６に表示される画面８は、メッセージ表示域８１と、コピー枚数表示域８２と、モード表示域８３と、外観図表示域８４と、仕上がり形態表示域８５と、設定キー表示域８６を有している。
【００６９】
メッセージ表示域８１は、各種メッセージを表示する領域であり、ユーザに向けたメッセージが表示される。
【００７０】
コピー枚数表示域８２は、設定されたコピー枚数または部数を表示する領域であり、コピー処理実行時には残量が表示される。
【００７１】
モード表示域８３は、設定されているモードを表示する領域であり、コピー、ファクシミリ、プリンタなどのモードを表示する。
【００７２】
外観図表示域８４は、装置の形状を模式的に示すとともに設定条件をアイコンを用いて表示する領域で、装置本体、装着されたオプション（ＡＤＦ、ソータ、両面トレイ、多段デスク等）が表示される。トレイには、用紙の種類、サイズ、セット方向、残量が表示される。また、現在の設定条件において印字用紙の排出先となっているトレイはアクティブ表示される。排出トレイには、コピー排出トレイ、大容量コピーおよび後処理排出トレイが有り、設定選択されたトレイがアクティブ表示される。
【００７３】
仕上がり形態表示域８５は、設定キーで設定された条件のうち、図で表現できるものをアイコン８５１を用いて表示しており、これにより印字出力物がどの様な形態で印字されるかをユーザが前もって知ることができる。
【００７４】
設定キー表示域８６は、印字条件の設定変更を行うための条件キー８６１が表示される。該領域内においては、条件設定時にユーザが操作するキー群８６１が配置された行と、その設定項目毎に現在の設定内容８６２を表示する行とがある。
【００７５】
キー群８６１には、たとえば、サイズ選択キー８６１−１、倍率選択キー８６１−２、濃度選択キー８６１−３、原稿−用紙選択キー８６１−４、後処理キー８６１−５、仕分けキー８６１−６、特別機能キー８６１−７などが設けられる。
【００７６】
（実施例１）以下、本発明の入力表示装置の第１の実施例を説明する。コピーモードが選択されると、表示部６における画面８は、コピーモードの先頭画面である図４に示すような待機画面Ｗ１が表示される。
【００７７】
上記先頭画面（待機画面）Ｗ１において設定条件の変更を行う場合には、用紙サイズの選択、倍率選択、濃度設定に関する選択は、条件キー８６１−１〜８６１−３を操作することによって条件が切り換わり、該先頭画面上においてユーザが所望の条件を選択することができる。
【００７８】
これら以外の条件、例えば、後処理条件の設定変更を行う場合には、後処理の条件キー８６１−５を操作することにより、上記表示部６における画面８は、先頭画面Ｗ１から図５に示すような後処理条件がステープル条件アイコン８４１‐１〜８４１−３やパンチ条件アイコン８４２‐１，８４２‐２で示された後処理条件選択画面Ｓ１に切り替わる。
【００７９】
後処理条件選択画面Ｓ１では、現在の後処理条件が選択画面に表示され、後処理キー８６１−７の上の表示欄８６２―７には、「↓」を表示して、条件選択中であることを示す。また、上記後処理条件選択画面Ｓ１上の外観図表示域８４には、後処理装置以外の他の装置の外観を隠し、後処理装置の外観図および後処理の条件を示すアイコンのみを表示する。選択完了後は、確定キー８４９の操作により、上記先頭画面（待機画面）Ｗ１に復帰する。
【００８０】
また、例えば、上記図５の後処理条件選択画面Ｓ１において、操作者がステープル条件アイコン８４１の内「角ステープル条件アイコン」８４１−１を選択して設定条件を変更した場合には、図７に示すように、後処理条件選択画面Ｓ２に切り替わり、コピーの仕上がり状態の表示８５１も角ステープル条件アイコン８４１‐１が左上部に表示された表示に変化する。外観図表示域８４に示される選択したアイコン８４１−１は表示を白黒反転させるなど非選択アイコンと差別化して選択されたことを表示する。
【００８１】
さらに、上記画像形成装置では、排紙先のトレイとして複数のトレイ、例えば上から順に、コピー排出トレイ、大容量コピーおよび後処理排出トレイが配置されている。そして、図５に示す後処理条件選択画面Ｓ１において、ステープル処理やパンチ処理等の後処理が選択された場合には、排出先は後処理排出トレイとなるため、後処理排出トレイがアクティブ表示される。図７の後処理条件選択画面Ｓ２の状態で確定キー８４９を操作すると、図２９に示すコピーの仕上がり形態表示域８５の仕上がり形態アイコン８５１に角ステープル８４１−１が表示された状態の先頭画面Ｗ２となる。
【００８２】
（設定画面の詳細な説明）後処理条件のステープル機能とパンチ機能の設定を行う場合を例にとって、条件キーによる条件の設定とそれに対応したコピーの仕上がり状態の表示の変化について説明する。
【００８３】
まず後処理条件の設定変更を行う。図４の先頭画面Ｗ１の条件選択キー８６１の中から後処理条件キー８６１−５を選択すると、選択画面の表示が図５に示す後処理条件選択画面Ｓ１になる。後処理条件キー８６１−５の上の表示欄８６２−５には、「↓」を表示して、条件選択中であることを示す。図５の後処理条件選択画面Ｓ１の外観図表示域８４に後処理条件選択域として表示されるように、後処理条件には、ステープル機能８４１とパンチ機能８４２がある。後処理条件選択域には、ステープル機能８４１の条件を表示する条件アイコン８４１−１〜８４１−３とパンチ機能８４２の条件を表示する条件アイコン８４２−１、８４２−２が表示されている。ステープル機能８４１の設定では、“角ステープル”８４１−１、“横ステープル”８４１−２、“縦ステープル”８４１−３のステープル状態を選択すること、パンチ機能８４２の設定では、“横パンチ”８４２−１、“縦パンチ”８４２−２のパンチ状態を選択することができる。
【００８４】
ここで、まずステープル機能８４１の“角ステープル”８４１−１を、選択する。図６に示すように、条件選択域の“角ステープル”条件アイコン８４１−１をドラッグしてコピー仕上がり形態アイコン８５１上の角ステープル位置に移動する。この結果、図７に示すように、仕上がり形態表示域８５のアイコン表示８５１が、設定された条件に合わせて角ステープルされた絵に変わる。このとき、ステ−プル条件アイコンの角ステープルアイコン８４１−１は、差別化されて表示されている。
【００８５】
次に、図７の後処理条件選択画面Ｓ２において、パンチ機能８４２の“横パンチ”８４２−１を選択する。図８に示すように、条件選択域の“横パンチ条件”アイコン８４２−１をドラッグしてコピー仕上がり形態アイコン８５１上の横パンチ位置に移動する。仕上がり形態表示域８５の表示が、図９に示すように、設定された条件に合わせて角ステープル８４１−１＋横パンチ８４２−１された絵８５１に変わる。
【００８６】
この選択状態を表す後処理条件選択画面Ｓ３で確定キー８４９を操作すると、図１０に示す状態の先頭画面Ｒ１となり後処理条件選択キー８６１−５の上の設定内容表示域８６２−５に設定内容（角ステープル：横パンチ）が表示される。
【００８７】
このように、この発明の第１の実施例によれば、表示部６の画面８に、複数の設定画面の条件キー８６１により入力される複数の条件を統合的に表示すると共に、統合的に表示された仕上がり形態表示域８５上に直接、条件アイコン８４１，８４２をドラッグすることにより、各設定条件によって得られる仕上がり形態を仕上がり形態表示域８５に表示できる。したがって、統合的に表示されたアイコン内の各設定条件に対応する絵表示と、各設定機能によって得られる仕上がり形態との関係を、視覚的にイメージとしてつかみやすいので、設定を容易に行うことができ、現在の設定内容を容易に確認でき、ミスコピーを削減することができる。
【００８８】
上述した事例で、選択した下位条件を絵やアイコンと関連づけて表示する表示装置において、上位条件を選択する選択キーは文字で選択し、上記キーの文字が意味する内容を持った下位条件に対応したアイコンだけを選択可能にすることにより、先に文字でどのような条件が存在するかを示して、その後、下位条件をアイコンで表示するので、上位条件と下位条件の両方を文字で表示する場合に比べて、下位条件を絵やアイコンと関連づけやすく、また、上位条件と下位条件の両方をアイコンで表示する場合に比べて、条件がどのようなものかを文字によって容易に把握できるので、誤操作が生じにくい。
【００８９】
（実施例２）以下、後処理条件（パンチ）の設定後に特別機能（とじしろ）の設定を行う場合を例にとって、条件アイコンに対応した設定量があるものを、条件アイコンの仕上がりアイコンに対する移動方向に対応してその設定量を可変可能にする処理について説明する。
【００９０】
上記実施例１の入力表示装置において、まず後処理条件の設定変更を行う。図４の先頭画面Ｗ１の条件選択キー８６１の中から後処理条件キー８６１−５を選択すると、選択画面の表示が図５に示す後処理条件選択画面Ｓ１に切り換わる。後処理選択条件の中から、パンチ機能８４２の設定を選択し、パンチ機能の“横パンチ”８４２−１を選択する。次いで図１１に示すように、条件選択域の“横パンチ条件”アイコン８４２−１をドラッグして仕上がり形態表示域８５のコピー仕上がり形態アイコン８５１上の横パンチ位置に移動させる。その結果、図１２の後処理条件選択画面Ｓ４に示すように、仕上がり形態表示域８５の表示が、設定された条件に合わせて横パンチ８４２−１された絵（アイコン）８５１に変わる。
【００９１】
この後処理条件選択画面Ｓ４に示される選択状態で確定キー８４９を操作すると、図１３に示す後処理条件変更後の画面Ｒ２状態を有する先頭画面となり後処理条件選択キー８６１−５の上の設定内容表示域８６２−５に設定内容（横パンチ）が表示される。
【００９２】
続いて、特別機能（左とじしろ１０ｍｍ）の設定を行う。まず、図１３の条件選択キー８６１の中から特別機能条件キー８６１−７を選択する。この結果図１４に示すように、選択画面の表示が、外観図表示域８４に特別機能の下位条件をアイコン８４３，８４４で示す特別機能条件選択画面Ｓ５に切り換えられる。ここで、まず特別機能の“とじしろ”を、選択する。
【００９３】
次いで、図１５に示すように条件選択域の“とじしろ”条件アイコン８４３をドラッグしてコピー仕上がり形態アイコン８５１上の左とじしろ位置に移動する。
【００９４】
その結果、仕上がり形態表示域８５の表示が、図１６に示すように、設定された条件に合わせて“左とじしろ”と“横パンチ”された絵８５１に変わる。この時に、とじしろ条件アイコン８４３をドラッグした位置により、コピー仕上がり形態アイコン８５１上に“とじしろ量”が表示される。左とじしろ設定時は、左方向（コピー仕上がり形態の用紙端）移動で、とじしろ量が減り、右方向（コピー仕上がり形態の用紙中央）移動で、とじしろ量が増えていく。とじしろ量が１０ｍｍになる位置に条件アイコンをドラッグする。またこの状態で、とじしろ量を１５ｍｍに変更したい場合は、とじしろの条件アイコン８４３を右の方向へ少し移動することにより可変可能である。この選択状態で確定キー８４９を操作すると、図１７に示す状態の先頭画面Ｒ３となり特別条件選択キー８６１−７の上の設定内容表示域８６２−７に設定内容（左とじしろ１０ｍｍ）が表示される。
【００９５】
また、この実施例では、左とじしろ設定の例であったが、右とじしろ設定時は、右方向（コピー仕上がり形態の用紙端）移動で、とじしろ量が減り、左方向（コピー仕上がり形態の用紙中央）移動で、とじしろ量が増えていく。
【００９６】
このように、条件アイコンに対応した設定量があるものは、条件アイコンの仕上がりアイコンに対する移動方向に対応してその設定量を可変可能にすることにより、仕上がりアイコンと条件アイコンの関係を視覚的に理解しやすく、操作を容易に行うことができる。
【００９７】
（実施例３）後処理条件のパンチ機能の設定の後に特別機能のとじしろ設定を行う場合を例にとって、仕上がりアイコン上に先に選択された条件アイコンに応じて、後から選択した条件アイコンの最適位置を、仕上がりアイコンに表示する処理について説明する。
【００９８】
実施例１の入力表示装置において、まず後処理条件（パンチ機能）の設定変更を行う。図４に示した先頭画面Ｗ１の条件選択キー８６１の中から後処理条件キー８６１−５を選択すると、選択画面の表示が図５に示すように後処理条件選択画面Ｓ１になる。ここで、パンチ機能８４２の“横パンチ”８４２−１を選択して、図１１に示すようにコピー仕上がり形態表示域８５の左端にドラッグする。その結果、画面８は、図１２に示す後処理条件選択画面Ｓ４となる。この選択状態で確定キー８４９を操作すると、図１３に示す後処理条件変更後の画面（先頭画面）Ｒ２が表示され、後処理条件選択キー８６１−５の上の設定内容表示域８６２−５に設定内容（横パンチ）が表示される。
【００９９】
続いて、特別機能条件のとじしろ機能の設定を行う。図１３の後処理条件変更後の画面Ｒ２において、特別機能キー８６１‐７を押すと、図１４に示す特別機能条件選択画面Ｓ５が表示される。この特別機能条件選択画面Ｓ５で、特別機能条件選択域からとじしろアイコン８４３を選択し、図１５に示すように仕上がりアイコン８５１上にドラッグすると、図１８に示す特別機能条件選択画面Ｓ７が表示され、仕上がりアイコン８５１上に先に選択された横パンチ条件アイコン８４２−１に応じた最適位置に、左とじしろアイコン８４３が仕上がりアイコン８５１上に表示される。
【０１００】
この実施例では、横パンチの後に、とじしろ設定を行い、最適位置が左とじしろ位置になる例であったが、先の条件設定が、上パンチ条件設定時の後のとじしろ設定の場合の最適位置は、上とじしろ位置になる。
【０１０１】
このように、仕上がりアイコン８５１上に先に選択された条件アイコンに応じて、後から選択した条件アイコンの最適位置を、仕上がりアイコンに表示することにより、設定を容易に行うことができ、操作ミスを防ぐことができる。
【０１０２】
（実施例４）次ぎに、条件キーを操作して下位条件の選択エリアを開き、下位条件の選択に対応した条件アイコンを仕上がりアイコン上の下位条件が適用可能な位置に表示する処理について、後処理機能条件（横ステープル機能）の設定を行う場合を例にとって、説明する。
【０１０３】
実施例１の入力表示装置において、後処理条件の設定変更を行う。図４に示した先頭画面Ｗ１の条件選択キー８６１の中から後処理の条件キー８６１−５を選択すると、画面８は、図５に示す後処理条件選択画面Ｓ１に切り換えられる。表示された後処理選択条件の中から、ステープル機能の設定を選択し、ステープル機能の“横ステープル”８４１−２を選択する。図３０に示すように、条件選択域の“横ステープル”  条件アイコン８４１−２をドラッグしてコピー仕上がり形態アイコン８５１上の横ステープル位置（適用可能な位置）に移動すると、図３１に示す仕上がり形態表示域８５の仕上がりアイコン８５１上に設定された条件に合わせた横ステープルアイコン８４１‐２が表示された後処理条件選択画面Ｓ８に切り換えられる。この選択状態で確定キー８４９を操作すると図３２に示す後処理条件変更後の状態の先頭画面Ｒ４となり後処理条件選択キー８６１−５の上の設定内容表示域８６２−５に設定内容（横ステープル）が表示される。
【０１０４】
図５の後処理条件選択画面Ｓ１で、図３３に示すように間違って“横ステープル”  条件アイコン８４１−２をコピー仕上がり形態アイコン８５１上の角ステープル位置に移動しても、適用不可能な位置なので、仕上がり形態表示域８５の表示は、図３０および図３１に示されるように、横ステープル位置（適用可能な位置）に表示された絵に変わる。
【０１０５】
この実施例では、“横ステープル”条件アイコンを、左角ステープル位置に間違って移動しているが、右角ステープル（適用不能）位置に間違って移動した場合は、右横ステープル（適用可能）位置に移動される。
【０１０６】
このように、下位条件の選択に対応した条件アイコンが、仕上がりアイコン上の下位条件が適用可能な位置に表示することにより、設定を容易に行うことができ、操作ミスを防ぐことができる。
【０１０７】
（実施襟５）複数の適用可能位置のある下位条件選択アイコンの、仕上がりアイコンに対する位置を切り換える、位置切換キーを用いて特別機能（とじしろ）設定を行う場合を例にとって説明する。
【０１０８】
実施例４の入力表示装置において、特別機能（とじしろ）の設定を行う。図４に示した先頭画面Ｗ１の条件選択キー８６１の中から特別機能条件キー８６１−７を選択すると、選択画面の表示が図１９に示す特別機能選択画面Ｓ９になる。ここで、とじしろ機能のとじしろ条件アイコン８４３を選択すると、図２０に示すように、選択画面域に位置切換キー８４５が表示され、仕上がり形態表示域８５のとじしろ条件の適用可能位置に、とじしろ条件アイコン８４３が表示される。この実施例では、とじしろ条件の適用可能位置は、図２０の後処理条件選択画面Ｓ１０に示す“左とじしろ”、図２１の後処理条件選択画面Ｓ１１に示す“上とじしろ”、図２２の後処理条件選択画面Ｓ１１に示す“右とじしろ”、図２３の後処理条件選択画面Ｓ１３に示す“下とじしろ（図２３）”の４箇所である。
【０１０９】
これらの位置切り換えは、選択画面域上の位置切換キー８４５を順次押すことにより、“左とじしろ”、“上とじしろ”、“右とじしろ”、“下とじしろ”の順に実現することができる。
【０１１０】
図２０では、最初に、とじしろ条件アイコン８４３が“左とじしろ位置”に表示されている。この状態から上とじしろへ設定変更を行いたい場合には、位置切換キー８４５を１回押せばよい（図２０→図２１）。
【０１１１】
このように、複数の適用可能位置のある下位条件選択アイコンは、条件アイコンの位置切換キー８４５により、仕上がりアイコン８５１に対する位置を切り換えて表示することにより、設定を容易に行うことができる。
【０１１２】
（実施例６）後処理機能（ステープル）設定の後に、特別機能（とじ代）設定を行う場合を例にとって、実施例４において、後から選択した条件アイコンの仕上がりアイコンに対する最初の表示位置が、仕上がりアイコン上に先に選択された条件アイコンに応じた最適位置に表示する処理について説明する。
【０１１３】
実施例１の入力表示装置において、まず、後処理機能「ステープル」の設定を行う。図４に示した先頭画面Ｗ１の中から後処理機能の条件キー８６１−５を選択すると、選択画面の表示が図５に示す後処理条件選択画面Ｓ１になる。ここで、図２４に示すように、ステープル機能の“上ステープル”８４１−３を選択して仕上がりアイコン８５１上にドラッグすると、図２５の後処理条件選択画面Ｓ１４に示すように、仕上がりアイコン８５１上に上ステープル条件アイコン８４１−３が表示される。
【０１１４】
この選択状態で確定キー８４９を操作すると、図２６に示す状態の先頭画面Ｒ５となり、後処理条件選択キー８６１−５の上の設定内容表示域８６２−５に設定内容（上ステープル）が表示される。
【０１１５】
続いて、特別機能（とじしろ）の設定を行う。まず、図２６において、条件選択キー８６１の中から特別機能条件キー８６１‐７を選択する。その結果、選択画面の表示が、図２７に示す特別機能条件選択Ｓ１５になる。特別機能の中から、とじしろ機能を選択すると、図２８の特別機能条件選択画面Ｓ１６に示すように、仕上がりアイコン８５１上に“とじしろ”  条件アイコン８４３が、前設定条件（後処理機能：上ステープル）に応じた最適位置（上とじしろ）に表示される。
【０１１６】
この実施例では、前設定条件（上ステープル）に応じた、後設定条件（とじしろ）の最初の表示位置が、上とじしろ位置になっているが、前設定条件が（左ステープル）時の、後設定条件（とじしろ）の最初の表示位置は、左とじしろ位置になる。またここで、後設定条件の先に選択された条件アイコンに応じた最適位置から変更したい場合は、実施例５で説明したように位置切換キー８４５で、位置を切り換えればよい。
【０１１７】
このように、後から選択した条件アイコン８４３の仕上がりアイコン８５１に対する最初の表示位置が、仕上がりアイコン上に先に選択された条件アイコン８４１−３に応じた最適位置に表示されることにより、設定が容易になり操作ミスを防ぐことができる。
【０１１８】
以上の説明において、画面に表示される各選択キーおよび条件アイコンならびに仕上がりアイコンに対する各種処理は、オペレーションパネルボード１００に供えたＣＰＵ１０１およびメモリー１０２に格納されたデータや処理プログラムによって実行される。
【０１１９】
【発明の効果】
以上のように、本発明の実施例１によれば、各設定機能と統合的に表示されたアイコン内の各設定条件に対応する絵表示との関係を視覚的にイメージとしてつかみやすいので、設定を容易に行うことができ、現在の設定内容を容易に確認でき、ミスコピーを削減することができる。
【０１２０】
本発明の実施例２によれば、統合的に表示された仕上がりアイコン８５１上に条件アイコンを移動することにより、仕上がりアイコンと条件アイコンの関係を視覚的に理解しやすく、操作を容易に行うことができる。
【０１２１】
本発明の、実施例３によれば、仕上がりアイコン上に最適位置を表示することにより、設定を容易に行うことができ、操作ミスを防ぐことができる。
【０１２２】
本発明の実施例４によれば、仕上がりアイコン上の適用可能な位置に条件アイコンを表示することができ、操作ミスを防ぐことができる。
【０１２３】
本発明の実施例５によれば、位置切換キーにより、条件アイコンの仕上がりアイコンに対する位置を切り換えて表示することができ、設定を容易に行うことができる。
【０１２４】
本発明の実施例６によれば、仕上がりアイコン上の最適位置を表示することにより、設定が容易になり操作ミスを防ぐことができる。
【図面の簡単な説明】
【図１】本発明にかかる入力表示装置が適用される複写機の概略構成を説明する図。
【図２】本発明にかかる有力表示装置が適用される複写機の機能構成を説明するブロック図。
【図３】操作パネルの外観形状を説明する平面図。
【図４】操作パネルの表示部の表示内容を説明する先頭画面Ｗ１。
【図５】後処理条件選択画面Ｓ１。
【図６】後処理条件選択画面Ｓ１−１。
【図７】後処理条件選択画面Ｓ２。
【図８】後処理条件選択画面Ｓ２−１。
【図９】後処理条件選択画面Ｓ３。
【図１０】後処理条件変更後の画面Ｒ１。
【図１１】後処理条件選択画面Ｓ１−２。
【図１２】後処理条件選択画面Ｓ４。
【図１３】後処理条件変更後の画面Ｒ２。
【図１４】特別機能条件選択画面Ｓ５。
【図１５】特別機能条件選択画面Ｓ５−１。
【図１６】特別処理条件選択画面Ｓ６。
【図１７】特別機能変更後の画面Ｒ３。
【図１８】特別機能条件選択画面Ｓ７。
【図１９】後処理条件選択画面Ｓ９。
【図２０】後処理条件選択画面Ｓ１０。
【図２１】後処理条件選択画面Ｓ１１。
【図２２】後処理条件選択画面Ｓ１２。
【図２３】後処理条件選択画面Ｓ１３。
【図２４】後処理条件選択画面Ｓ１−５。
【図２５】後処理条件選択画面Ｓ１４。
【図２６】後処理条件変更後の画面Ｒ５。
【図２７】特別機能条件選択画面Ｓ１５。
【図２８】特別機能条件選択画面Ｓ１６。
【図２９】先頭画面Ｗ２。
【図３０】後処理条件選択画面Ｓ１−３。
【図３１】後処理条件選択画面Ｓ８。
【図３２】後処理条件変更後の画面Ｒ４。
【図３３】後処理条件選択画面Ｓ１−４。
【符号の説明】
８  画面
８１  メッセージ表示域
８２  コピー枚数表示域
８３  モード表示域
８４  外観図表示域
８５  仕上がり形態表示域
８６  設定キー表示域
【図１】
0003546003.tif 000002
【図２】
0003546003.tif 000003
【図３】
0003546003.tif 000004
【図４】
0003546003.tif 000005
【図５】
0003546003.tif 000006
【図６】
0003546003.tif 000007
【図７】
0003546003.tif 000008
【図８】
0003546003.tif 000009
【図９】
0003546003.tif 000010
【図１０】
0003546003.tif 000011
【図１１】
0003546003.tif 000012
【図１２】
0003546003.tif 000013
【図１３】
0003546003.tif 000014
【図１４】
0003546003.tif 000015
【図１５】
0003546003.tif 000016
【図１６】
0003546003.tif 000017
【図１７】
0003546003.tif 000018
【図１８】
0003546003.tif 000019
【図１９】
0003546003.tif 000020
【図２０】
0003546003.tif 000021
【図２１】
0003546003.tif 000022
【図２２】
0003546003.tif 000023
【図２３】
0003546003.tif 000024
【図２４】
0003546003.tif 000025
【図２５】
0003546003.tif 000026
【図２６】
0003546003.tif 000027
【図２７】
0003546003.tif 000028
【図２８】
0003546003.tif 000029
【図２９】
0003546003.tif 000030
【図３０】
0003546003.tif 000031
【図３１】
0003546003.tif 000032
【図３２】
0003546003.tif 000033
【図３３】
0003546003.tif 000034